(57)【要約】【課題】平板状に構成された板部に対して当該板部における第１面に沿って折り畳み可能に接続された脚部を有する家具において、脚部が使用者の意に反して開いてしまうことも、板部と脚部との間に使用者が強く手を挟むことも、一層良好に抑制すること。【解決手段】板部に対して第１回転軸を中心に回転可能に接続され、当該板部における第１面に沿って折り畳み可能な、脚部における第１回転軸よりも先端側に設けられた第２回転軸を中心に回転可能に第１端部が接続されたレバーと、レバーにおける第２端部に設けられ、第１回転軸と平行な柱状部と、脚部の回転時に前記柱状部を案内するレールと、脚部が折り畳まれたときに柱状部に係合して使用者に操作されたときに当該係合が解除可能なストッパと、柱状部がストッパに係合する位置に達する前に前記柱状部又は前記第２端部に弾性的に接触して制動を加える制動部と、を備える。【選択図】図１
2019154778.tif 000002
【特許請求の範囲】
【請求項１】
平板状に構成された板部と、
前記板部に対して第１回転軸を中心に回転可能に接続されたことによって、当該板部における第１面に沿って折り畳み可能に構成された脚部と、
前記脚部における前記第１回転軸よりも先端側に設けられ、前記第１回転軸と平行な第２回転軸を中心に、前記脚部に対して回転可能に第１端部が接続されたレバーと、
前記レバーにおける前記第１端部とは反対側の第２端部に設けられ、前記第１回転軸と平行な方向に延びるように構成された柱状部と、
前記第1回転軸とは直行する方向に延びるように前記第１面に敷設され、前記脚部の回転時に前記柱状部を案内して予め設定された所定距離以上前記柱状部が前記第１面から離れるのを抑制するように構成されたレールと、
前記脚部が前記第１面に沿って折り畳まれたときに、前記柱状部に係合して前記柱状部の前記レールに沿った動作を抑制し、使用者に操作されたときに当該係合が解除可能となるように構成されたストッパと、
前記脚部の折り畳み時に前記柱状部が前記ストッパに係合する位置に前記柱状部が達する前に前記柱状部又は前記第２端部が通過する位置に設けられ、前記柱状部又は前記第２端部に弾性的に接触することで前記柱状部及び前記第２端部の前記レールに沿った移動を制動するように構成された制動部と、
を備えた家具。
【請求項２】
請求項１に記載の家具であって、
前記柱状部は、前記第１回転軸と平行な方向に前記第２端部の両側から突出して設けられ、
前記レールは、前記柱状部の端部が嵌合するＵ字型又はコの字型断面を、前記柱状部の両端に対してそれぞれ備えた家具。
【請求項３】
請求項２に記載の家具であって、
前記脚部が折り畳まれたとき、前記レバーは、当該レバーの全長に亘って、前記レールにおける前記Ｕ字型又はコの字型断面間に少なくとも一部が収容される家具。
【請求項４】
請求項２又は３に記載の家具であって、
前記脚部が折り畳まれたときに前記柱状部又は前記第２端部が達する位置に設けられ、前記柱状部又は前記第２端部を前記板部から離れる方向に案内するように構成された案内部を、
更に備えた家具。
【請求項５】
請求項１〜４のいずれか１項に記載の家具であって、
前記柱状部は円柱状に構成され、
前記ストッパは、Ｕ字型の切欠きを有して当該切欠きを前記第１面に垂直な方向から前記柱状部に係合させる家具。
【請求項６】
請求項１〜５のいずれか１項に記載の家具であって、
前記脚部が折り畳まれる際に前記柱状部が前記ストッパに係合可能な位置に達したとき、前記柱状部又は前記第２端部に、当該柱状部及び当該第２端部の移動方向上流側から当接して前記柱状部及び前記第２端部の前記レールに沿った移動を抑制する当接部を、
更に備えた家具。
【発明の詳細な説明】
【技術分野】
【０００１】
本開示は、平板状に構成された板部と、前記板部に対して回転することによって当該板部における第１面に沿って折り畳み可能に接続された脚部とを有する家具に関する。
【背景技術】
【０００２】
平板状に構成された板部と、前記板部に対して回転することによって当該板部における第１面に沿って折り畳み可能に接続された脚部とを有する家具が考えられている。この種の家具は、脚部を折り畳むことにより、収納スペースが小さくても済むようにすることができる。また、この種の家具では、使用者が脚部を折り畳んだ状態で運搬する際に、脚部が、自重等によって、使用者の意に反して開いてしまうのを抑制するのが望ましい。そこで、例えば特許文献１には、脚部に対して回転可能に接続された支杆の頂部が天板の裏面に沿って案内される通過路内に、軟質材からなる当たり止めを臨ませている。この構成では、脚部が折り畳まれるときには、支杆の頂部がこの当たり止めを乗り越える。このため、使用者が脚部を折り畳んだ状態で運搬する際に、脚部が自重等によって開いてしまうのをある程度抑制することができる。
【先行技術文献】
【特許文献】
【０００３】
【特許文献１】実公昭６１−３２５０７号公報
【発明の概要】
【発明が解決しようとする課題】
【０００４】
しかしながら、当たり止めは軟質材にて構成され、使用者が当該当たり止めを直接操作しなくても支杆の頂部が乗り越えることができるように設計されている。このため、使用者が脚部を折り畳んだ状態で運搬する際に、脚部の自重等によって、脚部を折り畳むときとは逆方向に支杆の頂部が当たり止めを乗り越える可能性があり、脚部が使用者の意に反して開いてしまうのを十分に抑制できない可能性がある。また、この種の家具では、使用者が強い力で勢いよく脚部を畳もうとすると、天板等の板部と脚部との間に強く手を挟む可能性がある。
【０００５】
本開示の１つの局面は、平板状に構成された板部に対して当該板部における第１面に沿って折り畳み可能に接続された脚部を有する家具において、脚部が使用者の意に反して開いてしまうことも、板部と脚部との間に使用者が強く手を挟むことも、一層良好に抑制できることが望ましい。
【課題を解決するための手段】
【０００６】
本開示の一態様としての家具は、板部と、脚部と、レバーと、柱状部と、レールと、ストッパと、制動部と、を備えている。
板部は、平板状に構成されている。脚部は、前記板部に対して第１回転軸を中心に回転可能に接続されたことによって、当該板部における第１面に沿って折り畳み可能に構成されている。レバーは、前記脚部における前記第１回転軸よりも先端側に設けられ、前記第１回転軸と平行な第２回転軸を中心に、前記脚部に対して回転可能に第１端部が接続されている。柱状部は  前記レバーにおける前記第１端部とは反対側の第２端部に設けられ、前記第１回転軸と平行な方向に延びるように構成されている。
【０００７】
レールは、前記第1回転軸とは直行する方向に延びるように前記第１面に敷設され、前記脚部の回転時に前記柱状部を前記第１面に沿って案内するように構成されている。ストッパは、前記脚部が前記第１面に沿って折り畳まれたときに、前記柱状部に係合して前記柱状部の前記レールに沿った動作を抑制し、使用者に操作されたときに当該係合が解除可能となるように構成されている。制動部は、前記脚部の折り畳み時に前記柱状部が前記ストッパに係合する位置に前記柱状部が達する前に前記柱状部又は前記第２端部が通過する位置に設けられ、前記柱状部又は前記第２端部に弾性的に接触することで前記柱状部及び前記第２端部の前記レールに沿った移動を制動するように構成されている。
【０００８】
このような構成によれば、使用者が脚部を折り畳む際、レバーにおける第２端部に設けられた柱状部は、レールに沿って（すなわち、板部の第１面に沿って）ストッパに向かって移動する。ストッパは、脚部が第１面に沿って折り畳まれたときに、柱状部に係合して当該柱状部のレールに沿った動作を抑制する。しかも、当該係合は、ストッパが使用者に操作されたときに解除可能となる。このため、使用者が脚部を折り畳んだ状態で運搬する際に、脚部の自重等によって、脚部が使用者の意に反して開いてしまうのを良好に抑制することができる。
【０００９】
また、脚部の折り畳み時に柱状部がストッパに係合する位置に前記柱状部が達する前に柱状部又は第２端部が通過する位置には、制動部が設けられている。この制動部は、柱状部又は第２端部に弾性的に接触することで柱状部及び第２端部のレールに沿った移動を制動するように構成されている。すなわち、制動部は、脚部が折り畳まれるときに当該脚部の回転に対して制動を加えることができる。このため、使用者が強い力で勢いよく脚部を畳もうとしても、天板等の板部と脚部との間に強く手を挟むことを抑制することができる。
【００１０】
なお、本開示において、前記柱状部は、前記第１回転軸と平行な方向に前記第２端部の両側から突出して設けられ、前記レールは、前記柱状部の端部が嵌合するＵ字型又はコの字型断面を、前記柱状部の両端に対してそれぞれ備えてもよい。その場合、柱状部は、当該柱状部の移動方向に垂直な断面に対して、両端の外側と、板部側と、板部とは反対側との４方向から移動が規制される。このため、柱状部をレールに沿って一層円滑に移動させることができる。
【００１１】
そして、その場合、前記脚部が折り畳まれたとき、前記レバーは、当該レバーの全長に亘って、前記レールにおける前記Ｕ字型又はコの字型断面の間に少なくとも一部が収容されてもよい。その場合、脚部が折り畳まれたときにはレバーが全長に亘って少なくとも一部がレールに埋没する。このため、当該家具の収納スペースが小さくても済むようにすることが一層良好にできる。
【００１２】
また、前述のように柱状部が第２端部の両側から突出して設けられ、レールが前記Ｕ字型又はコの字型断面を備えた場合、前記脚部が折り畳まれたときに前記柱状部又は前記第２端部が達する位置に設けられ、前記柱状部又は前記第２端部を前記板部から離れる方向に案内するように構成された案内部を、更に備えてもよい。その場合、脚部が折り畳まれたときには、柱状部又は第２端部が案内部によって板部から離れる方向に案内される。すると、柱状部の両端は、前記Ｕ字型又はコの字型断面における板部とは反対側の内壁面に接触する方向に案内される。従って、脚部が折り畳まれるときに当該脚部の回転に対して一層良好に制動を加えることができる。
【００１３】
また、本開示において、前記柱状部は円柱状に構成され、前記ストッパは、Ｕ字型の切欠きを有して当該切欠きを前記第１面に垂直な方向から前記柱状部に係合させてもよい。このように、円柱状の柱状部にＵ字型の切欠きを係合させれば、柱状部の第１面に沿った移動を一層良好に抑制することができる。従って、使用者が脚部を折り畳んだ状態で運搬する際に、脚部の自重等によって、脚部が使用者の意に反して開いてしまうのを一層良好に抑制することができる。
【００１４】
また、本開示において、前記脚部が折り畳まれる際に前記柱状部が前記ストッパに係合可能な位置に達したとき、前記柱状部又は前記第２端部に、当該柱状部及び当該第２端部の移動方向上流側から当接して前記柱状部及び前記第２端部の前記レールに沿った移動を抑制する当接部を、更に備えてもよい。その場合、脚部が折り畳まれる際に柱状部がストッパに係合可能な位置に達すると、柱状部又は第２端部に当該柱状部及び当該第２端部の移動方向上流側から当接部が当接する。これによって、柱状部及び第２端部のレールに沿った移動が抑制される。このため、ストッパを柱状部に対して一層良好に係合させることができ、延いては、脚部が使用者の意に反して開いてしまうのを一層良好に抑制することができる。
【００１５】
ここで「第１端部」「第２端部」等の「端部」とは、厳密な意味での「端点」又は「端縁」に限るものではなく、目的とする効果を奏するのであれば「端点」の近傍等、厳密に「端点」又は「端縁」でなくてもよい。
【図面の簡単な説明】
【００１６】
【図１】実施形態の机の主要部の構成を表す斜視図である。
【図２】前記机における開閉調整機構の構成を表す側面図である。
【図３】前記開閉調整機構における制動部近傍の構成を表す下面図である。
【図４】前記開閉調整機構における制動部近傍の構成を表す断面図である。
【発明を実施するための形態】
【００１７】
以下、図面を参照しながら、本開示の実施形態を説明する。
［１．実施形態］
［１−１．構成］
図１に示すように、実施形態の家具としての机１は、板部の一例としての天板３と、当該天板３に対して折り畳み可能（すなわち、開閉可能）に構成された脚部５と、脚部５の開閉に対して制動・係止等の調整を行う開閉調整機構７と、を備えている。なお、以下の説明で、机１の使用時における天板３における下面方向を＋Ｚ方向とし、脚部５を使用者が折り畳む際に脚部５の先端（すなわち、自由端）が移動し始める方向を＋Ｘ方向とした右手系直交座標を用いて、各部の位置関係を示す場合がある。但し、このような座標は、各部の位置関係を説明するために便宜的に設定したもので、実際に使用される際の姿勢及び位置関係とは無関係である。
【００１８】
脚部５は、天板３の第１面３Ａ（すなわち、机１の使用時における下面）に、２つのヒンジ部３１を介して回転可能にそれぞれ接続された２つの脚部本体５１を備えている。具体的には、脚部本体５１は、それぞれ円筒状に金属等によって構成され、図１、図２に示すように、それぞれに対応するヒンジ部３１を±Ｙ方向に貫通する第１回転軸３１Ａを中心に回転可能に接続されている。また、２つのヒンジ部３１のそれぞれにおける第１回転軸３１Ａは、同軸上に設けられている。
【００１９】
２つの脚部本体５１は、それぞれの第１回転軸３１Ａよりも先端側（すなわち、自由端側）で、四角柱状に金属等によって構成された連結部５３を介して互いに連結されている。連結部５３における＋Ｘ側側面には、ヒンジ部５５を介して、開閉調整機構７のレバー７１における第１端部７１Ａが接続されている。具体的には、第１端部７１Ａは、ヒンジ部５５を±Ｙ方向に貫通する第２回転軸７３を中心に回転可能に接続されている。レバー７１は、第２回転軸７３に垂直な側面を±Ｙ方向両側に備え、当該各側面の＋Ｘ側を他の面で連結された断面コの字型の金属部材によって構成されている。
【００２０】
また、レバー７１における第１端部７１Ａは、第２回転軸７３を中心に円滑に回転可能なように、ヒンジ部５５と重畳する部分が二股に分かれて、ヒンジ部５５の±Ｙ方向外側から重畳している。更に、脚部本体５１の先端には、図１に示すように、床面等に直接接触する足部５７が、２つの脚部本体５１の先端同士を連結するように取り付けられている。その結果、脚部本体５１から足部５７に到る脚部５は、第１回転軸３１Ａを中心に回転して、天板３における第１面３Ａに沿って折り畳むことができる。その折り畳み時には、レバー７１における第２端部７１Ｂは、第１面３Ａに±Ｘ方向に敷設されたレール８０に沿って移動する。
【００２１】
レール８０は、±Ｙ方向の両端縁が断面コの字型に折り返されて係合部８１を構成している。レバー７１における第２端部７１Ｂも二股に分かれており、当該第２端部７１Ｂには、柱状部の一例としての円柱状のピン７５が±Ｙ方向に貫通している。ピン７５の両端は、レバー７１の±Ｙ方向両側から突出しており、当該突出したピン７５の両端が係合部８１に嵌合する。このため、レール８０は、脚部５の回転時にピン７５を案内して予め設定された所定距離以上にピン７５が第１面３Ａから離れるのを抑制することができる。
【００２２】
開閉調整機構７は、このようなレバー７１及びレール８０に加えて、次のような制動部８３、ストッパ９０、ストッパ１００を備えている。ストッパ９０は、脚部５を折り畳んだ状態に支持するもので、ストッパ１００は、脚部５を開いた状態（すなわち、使用状態）に支持するものである。図２に示すように、レール８０には、ストッパ９０を支持するためのストッパ支持部８５と、ストッパ１００を支持するためのストッパ支持部８７とが取り付けられている。なお、図２は、机１における−Ｙ側の係合部８１よりも−Ｙ側の部分及び天板３を省略して描かれている。
【００２３】
ストッパ９０は、ストッパ支持部８５を±Ｙ方向に貫通する第３回転軸８８によって回転可能に支持され、ストッパ１００は、ストッパ支持部８７を±Ｙ方向に貫通する第３回転軸８９によって回転可能に支持されている。このため、ストッパ９０は、操作側端部９１が使用者によって第１面３Ａ方向（すなわち、−Ｚ方向）に押下されると動作側端部９３が＋Ｚ方向に移動し、ストッパ１００は、操作側端部１０１が使用者によって−Ｚ方向に押下されると動作側端部１０３が＋Ｚ方向に移動する。なお、ストッパ９０及び１００は、それぞれ、動作側端部９３又は１０３が第１面３Ａに近接する方向に、図示しない捩りバネによって付勢されている。
【００２４】
ストッパ９０における動作側端部９３には、脚部５が折り畳まれたときにピン７５が達する位置に、−Ｚ側に開いたＵ字型の切欠き９５が形成されている。この切欠き９５が、第１面３Ａに垂直な方向からピン７５に係合することにより、脚部５は折り畳まれた状態に支持される。また、この切欠き９５の＋Ｘ側内壁面とストッパ支持部８５の−Ｘ側外周面８５Ｂ（当接部の一例）とは、面一となるように開閉調整機構７は設計されている。また、ピン７５と二股に分かれた第２端部７１Ｂの付け根部分７１Ｃ（図１参照）との間隔は、切欠き９５との係合位置までピン７５が移動できるように、ストッパ９０における動作側端部９３の厚さよりも大きく設計されている。また、切欠き９５との係合位置までピン７５が移動できるように、ストッパ９０の±Ｙ方向両端面と係合部８１との間には、第２端部７１Ｂが通過できる程度の隙間が設けられている。更に、動作側端部９３に−Ｘ側からピン７５が当接したときに当該動作側端部９３が＋Ｚ方向に開くように、動作側端部９３における―Ｚ側の面は、＋Ｘ側へ行くほど−Ｚ側へ行く斜面９７を備えている。
【００２５】
なお、ストッパ１００及びストッパ支持部８７は、ストッパ９０及びストッパ支持部８５とＹＺ平面に対して鏡像となる構成を有している。すなわち、ストッパ１００には、脚部５が開かれたときにピン７５に係合して脚部５を開いた状態に支持する切欠き１０５が形成されている。切欠き１０５の−Ｘ側内壁面とストッパ支持部８７の＋Ｘ側外周面８７Ｂとは、面一となるように開閉調整機構７は設計されている。また、動作側端部１０３に＋Ｘ側からピン７５が当接したときに当該動作側端部１０３が＋Ｚ方向に開くように、動作側端部１０３における―Ｚ側の面は斜面１０７を備えている。
【００２６】
また、図３、図４に示すように、制動部８３は、レール８０におけるストッパ９０の−Ｘ側に隣接する位置にビス８３Ａを介して取り付けられ、＋Ｚ側に凸となるように湾曲した板ばねによって構成されている。更に、ストッパ支持部８５がビス８５Ｃを介してレール８０に取り付けられた位置と、制動部８３がビス８３Ａを介してレール８０に取り付けられた位置との間には、＋Ｚ方向に台形状に突出した案内部８０Ａを、レール８０は備えている。ピン７５がストッパ支持部８５の−Ｘ側外周面８５Ｂに当接したときには、ピン７５は案内部８０Ａに乗り上げ、天板３から離れる方向に案内される。なお、図３は、レール８０における制動部８３からストッパ９０に到る部分を、ストッパ９０及びストッパ支持部８５を省略して＋Ｚ側から見た図である。図４は、図３におけるIV−IV線断面図である。
【００２７】
［１−２．効果］
以上詳述した実施形態によれば、以下の効果を奏する。
（１Ａ）使用者が脚部５を折り畳む際、レバー７１における第２端部７１Ｂに設けられたピン７５は、レール８０に沿ってストッパ９０に向かって移動する。ストッパ９０は、脚部５が第１面３Ａに沿って折り畳まれたときに、ピン７５に係合して当該ピン７５のレール８０に沿った動作を抑制する。しかも、当該係合は、操作側端部９１が使用者に操作されたときに解除可能となる。このため、使用者が脚部５を折り畳んだ状態で運搬する際に、脚部５の自重等によって、脚部５が使用者の意に反して開いてしまうのを良好に抑制することができる。
【００２８】
（Ｂ）また、脚部５の折り畳み時にピン７５がストッパ９０の切欠き９５に係合する位置に達する前に、ピン７５が通過する位置には、ピン７５の通過経路に向けて凸に湾曲した制動部８３が設けられている。この制動部８３は、ピン７５に弾性的に接触する（すなわち、ピン７５に接触して弾性変形する）ことで、ピン７５及び第２端部７１Ｂのレール８０に沿った移動を制動する。すなわち、制動部８３は、脚部５が折り畳まれるときに当該脚部５の回転に対して制動を加えることができる。このため、使用者が強い力で勢いよく脚部５を畳もうとしても、天板３と脚部５との間に強く手を挟むことを抑制することができる。
【００２９】
（Ｃ）また、ピン７５は、±Ｙ方向に第２端部７１Ｂの両側から突出して設けられ、レール８０は、ピン７５の端部がそれぞれ嵌合するＵ字型断面の係合部８１を、ピン７５の両端に対してそれぞれ備えている。このため、ピン７５は、当該ピン７５の移動方向に垂直な断面に対して、両端の外側と、天板３側と、天板３とは反対側との４方向から移動が規制される。このため、ピン７５をレール８０に沿って一層円滑に移動させることができる。
【００３０】
（Ｄ）そして、脚部５が折り畳まれたとき、レバー７１は、当該レバー７１の全長に亘って、係合部８１の間に少なくとも一部が収容される。このため、机１の収納スペースが小さくても済むようにすることが一層良好にできる。
【００３１】
（Ｅ）また、脚部５が折り畳まれたときにピン７５が達する位置に設けられた案内部８０Ａは、ピン７５を＋Ｚ方向に案内する。すると、ピン７５の両端は、係合部８１における＋Ｚ側の内壁面に接触する方向に案内される。従って、脚部５が折り畳まれるときに当該脚部５の回転に対して一層良好に制動を加えることができる。
【００３２】
（Ｆ）また、ピン７５は円柱状に構成され、ストッパ９０は、Ｕ字型の切欠き９５を有して当該切欠き９５を第１面３Ａに垂直な方向（すなわち、＋Ｚ方向）から前記ピン７５に係合させる。このように、円柱状のピン７５にＵ字型の切欠き９５を係合させれば、ピン７５の第１面３Ａに沿った移動を一層良好に抑制することができる。従って、使用者が脚部５を折り畳んだ状態で運搬する際に、脚部５の自重等によって、脚部５が使用者の意に反して開いてしまうのを一層良好に抑制することができる。
【００３３】
（Ｇ）また、脚部５が折り畳まれる際にピン７５が切欠き９５に係合可能な位置に達したとき、ストッパ支持部８５の−Ｘ側外周面８５Ｂが、ピン７５に当該ピン７５移動方向上流側から当接する。これによって、ピン７５のレール８０に沿った移動が抑制される。このため、ストッパ９０の切欠き９５をピン７５に対して一層良好に係合させることができ、延いては、脚部５が使用者の意に反して開いてしまうのを一層良好に抑制することができる。また、ストッパ支持部８５の−Ｘ側外周面８５Ｂによって、ピン７５が必要以上に移動するのが抑制され、ストッパ９０等の周辺の構成にピン７５又は第２端部７１Ｂが衝突して当該周辺の構成を破損するのも抑制することができる。
【００３４】
［２．他の実施形態］
以上、本開示を実施するための形態について説明したが、本開示は上述の実施形態に限定されることなく、種々変形して実施することができる。
【００３５】
（２Ａ）前記実施形態では、制動部８３及び当接部（すなわち、ストッパ支持部８５の−Ｘ側外周面８５Ｂ）は、いずれもピン７５に接触して制動力を加えたが、これに限定されるものではない。制動部又は当接部の少なくともいずれか一方は、第２端部７１Ｂに接触して制動力を加えてもよい。
【００３６】
（２Ｂ）レバー７１又はレール８０又はストッパ９０の形状は、図１〜６に示したものに限定されるものではなく、種々に変更することができる。例えば、レール８０の係合部８１は、Ｕ字型の断面形状を有してもよい。また、レールは第２端部７１Ｂの±Ｙ方向中心に設けられてもよい。また、レバーは特許文献１のように八の字型に構成されてもよい。
【００３７】
（２Ｃ）また、前記実施形態では、本開示を机に適用したが、本開示は、椅子や肘掛など、脚部が板部に対して折り畳み可能に構成された家具であれば種々の家具に適用することができる。
【００３８】
（２Ｄ）前記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、前記実施形態の構成の一部を省略してもよい。また、前記実施形態の構成の少なくとも一部を、他の前記実施形態の構成に対して付加又は置換してもよい。なお、特許請求の範囲に記載した文言のみによって特定される技術思想に含まれるあらゆる態様が本開示の実施形態である。
【符号の説明】
【００３９】
１…机                    ３…天板                    ３Ａ…第１面
５…脚部                  ３１Ａ…第１回転軸          ７１…レバー
７１Ａ…第１端部          ７１Ｂ…第２端部            ７３…第２回転軸
７５…ピン                ８０…レール                ８０Ａ…案内部
８１…係合部              ８３…制動部                ８５，８７…ストッパ支持部
８５Ｂ…−Ｘ側外周面      ９０，１００…ストッパ      ９５，１０５…切欠き
【図１】
2019154778.tif 000003
【図２】
2019154778.tif 000004
【図３】
2019154778.tif 000005
【図４】
2019154778.tif 000006